【手続補正書】
【提出日】平成26年5月23日(2014.5.23)
【手続補正１】
【補正対象書類名】特許請求の範囲
【補正対象項目名】全文
【補正方法】変更
【補正の内容】
【特許請求の範囲】
【請求項１】
組織に関する、又は組織の又は組織内の対象物に関する情報を決定するための装置であって、
身体の特定器官内に存在させ、かつ該組織内で少なくとも１つの電磁放射を発生するように構成されている少なくとも１つの第１アレンジメント、ここで、該組織は、該特定器官とは異なりかつ特定器官の外側に存在する、及び
少なくとも一つの第２アレンジメント、ここで、該第２アレンジメントは、
（ａ）該少なくとも一つの電磁放射に応じて特定信号を検出し、かつ
（ｂ）（ｉ）該組織の少なくとも一つの特性、又は（ｉｉ）該組織の又は該組織内の対象物に関する情報の少なくとも一つを測定又は決定できる、ように構成されている、
を含む装置。
【請求項２】
前記少なくとも一つの特性が、（ｉ）血液、（ｉｉ）心臓に連結する１本又は複数本の大血管、又は（ｉｉｉ）心臓の一部分又は複数部分の少なくとも一つのである、請求項１に記載の装置。
【請求項３】
組織の少なくとも一つの特性を決定するための装置であって、
身体の外側に存在させ、かつ該組織内で少なくとも１つの電磁放射を発生させるように構成されている少なくとも１つの第１アレンジメント、ここで、該組織は、該身体内に提供され、かつ、該身体内の（ｉ）心臓、（ｉｉ）心臓に繋がる主要血管、（ｉｉｉ）冠動脈、又は（ｉｖ）それらの中の血液の少なくとも一つを含む、及び
少なくとも一つの第２アレンジメント、ここで、該第２アレンジメントは、
（ａ）該少なくとも一つの電磁放射に応じて特定信号を検出し、かつ
（ｂ）（ｉ）該組織の少なくとも一つの特性、又は（ｉｉ）該組織の又は該組織内の対象物に関する情報の少なくとも一つを測定又は決定できる、ように構成されている、
を含む装置。
【請求項４】
前記特定器官が食道である請求項１〜３のいずれかひとつに記載の装置。
【請求項５】
前記少なくとも一つの第２アレンジメントが、少なくとも１つの冠動脈疾患の少なくとも可能性を識別するための更なる情報を決定するように更に構成されている、請求項１〜３のいずれかひとつに記載の装置。
【請求項６】
（ｉ）前記少なくとも一つの第１アレンジメント、又は（ｉｉ）前記少なくとも一つの第２アレンジメントの少なくとも一つが、食道内に少なくとも部分的に存在させるように構築されかつ寸法取りされている、請求項１〜３のいずれかひとつに記載の装置。
【請求項７】
前記少なくとも一つの第１アレンジメント又は前記少なくとも一つの第２アレンジメントが、（ｉ）光音響アレンジメント、（ｉｉ）蛍光アレンジメント、（ｉｉｉ）光分光法アレンジメント、（ｉｖ）レーザスペックル撮像アレンジメント、（ｖ）光トモグラフィアレンジメント、又は（ｖｉ）超音波アレンジメントの少なくとも一つである、或いは、（ｖｉｉ）経鼻装置と共に又は経鼻装置内に含まれている、請求項１〜３のいずれかひとつに記載の装置。
【請求項８】
（ｉ）前記情報に応じて前記組織の少なくとも１画像を生成するように構成された少なくとも一つの第３アレンジメント、又は（ｉｉ）前記組織及び前記組織に近接する更なる組織の少なくとも１画像を生成するように構成された少なくとも一つの第４アレンジメントの少なくとも一つをさらに含む請求項１〜３のいずれかひとつに記載の装置。
【請求項９】
前記少なくとも一つの第３アレンジメントが、（ｉ）前記組織の構造、及び（ｉｉ）前記少なくとも一つの特性に関するデータを、略同時に得るように構成されている、請求項８に記載の装置。
【請求項１０】
前記データが、（ｉ）前記組織の前記構造、又は（ｉｉ）前記少なくとも一つの特性の少なくとも一つを互いに重ね合わせた少なくとも一つの画像である、請求項９に記載の装置。
【請求項１１】
前記少なくとも一つの第4アレンジメントが超音波アレンジメントを含む請求項８に記載の装置。
【請求項１２】
前記第２アレンジメントが、前記少なくとも１本又は複数本の大血管又は心臓の一部に加え、１つ又は複数の他の組織を含む少なくとも１つの更なる組織に関する少なくとも一つの特性を更に測定する、請求項１〜３のいずれかひとつに記載の装置。
【請求項１３】
前記少なくとも一つの第１アレンジメント又は前記少なくとも一つの第２アレンジメントを少なくとも一つを、前記特定器官内の特定位置に固定できるように構成された少なくとも一つのバルーンアレンジメントをさらに含む、請求項１〜３のいずれかひとつに記載の装置。
【請求項１４】
組織に関する、又は組織の又は組織内の対象物に関する情報を決定するための方法であって、
該組織内で少なくとも１つの電磁放射を発生させること、ここで、該組織は、該特定器官とは異なりかつ特定器官の外側に存在し、かつ、該発生は、身体の特定器官内に存在する少なくとも一つの第１アレンジメントにより生じる、
該少なくとも一つの電磁放射に応じて特定信号を検出すること、及び
（ｉ）該組織の少なくとも一つの特性、又は（ｉｉ）該組織の又は該組織内の対象物に関する情報の少なくとも一つを測定又は決定すること、
を含む方法。
【請求項１５】
組織の少なくとも一つの特性を決定するための方法であって、
該組織内で少なくとも１つの電磁放射を発生させること、ここで、該組織は、該身体内に提供され、かつ、該身体内の（ｉ）心臓、（ｉｉ）心臓に繋がる主要血管、（ｉｉｉ）冠動脈、又は（ｉｖ）それらの中の血液の少なくとも一つを含み、そして、該発生は、該身体の外側に存在する少なくとも一つの第１アレンジメントにより引き起こされる、
該少なくとも一つの電磁放射に応じて特定信号を検出すること、及び
（ｉ）該組織の少なくとも一つの特性、又は（ｉｉ）該組織の又は該組織内の対象物に関する情報の少なくとも一つを測定又は決定すること、
を含む方法。
【請求項１６】
組織の少なくとも一つの特性を決定するための装置であって、
該組織内で音波の生成を生じさせるように構成された少なくとも一つの第１光音響アレンジメント、及び
音波を検出し、血液の少なくとも一つの特性を、（ｉ）１本又は複数本の心臓と結合する大血管、又は（ｉｉ）心臓の一部又は複数部分の少なくとも一つのである該組織内で測定するように構成された少なくとも１つの第２アレンジメント、ここで、該少なくとも一つの第２アレンジメントは、該組織の外側で測定を実行するように構成されている、
を含む装置。
【請求項１７】
前記少なくとも一つの第１アレンジメント又は前記少なくとも一つの第２アレンジメントの少なくとも一つのが、（ｉ）少なくとも部分的に食道内に存在させるように構築及び寸法取りされている、又は（ｉｉ）経鼻装置と共に含まれている、の少なくとも一つである、請求項１６に記載の装置。
【請求項１８】
前記少なくとも一つの特性が、酸素飽和度、心拍出量、血流、総血液含有量、又は、血液の血球容量の少なくとも一つのである、請求項１６に記載の装置。
【請求項１９】
前記酸素飽和が、静脈の酸素飽和度、又は動脈の酸素飽和度の少なくとも一つを含む、請求項１８に記載の装置。
【請求項２０】
前記音波に応じて、前記解剖学的構造の少なくとも１画像を生成するように構成された少なくとも一つの第３アレンジメントをさらに含む、請求項１８に記載の装置。
【請求項２１】
前記少なくとも一つの第３アレンジメントが、（ｉ）前記解剖学的構造の構造、及び（ｉｉ）前記少なくとも一つの特性に関するデータを略同時に得るように構成されている、請求項１８に記載の装置。
【請求項２２】
前記データが、（ｉ）前記解剖学的構造の前記構造、又は（ｉｉ）前記少なくとも一つの特性の少なくとも一つを互いに重ねた少なくとも１画像である、請求項２１に記載の装置。
【請求項２３】
組織の少なくとも一つの特性を決定するための方法であって、
少なくとも一つの第１光音響アレンジメントを用いて、該組織内で音波の生成を生じさせること、
該音波を検出すること、及び、
少なくとも一つの第２アレンジメントを用いて、（ｉ）１本又は複数本の心臓と結合する大血管、又は（ｉｉ）心臓の一部又は複数部分の少なくとも一つのである該解剖学的構造内の血液の少なくとも一つの特性を測定すること、ここで、測定は、該組織の外側で実行される、
を含む方法。